(57)【要約】【課題】釣用靴の改良。釣人の脚への衝撃を緩和し、脚が疲れない釣用靴の提供。【解決手段】釣用靴１０は、靴本体１１と、ミッドソール部１２と、ソール部１３とを備える。ソール部１３は、面ファスナーによりミッドソール部１２に取り付けられている。ミッドソール部１２は、底板部２９と、これに立設されたリブ３０とを有し、内部が中空構造となっている。靴本体１１の載置部２３は、クッション部材２８を備える。クッション部材２８は、シート部材２７と共に積層されている。【選択図】  図２
2004160064.tif 000002
【特許請求の範囲】
【請求項１】
釣人の脚が挿入され、脚の裏部分が載置される載置部を有する靴本体と、
載置部の外底面に設けられたミッドソール部と、
ミッドソール部の外底面に面ファスナーを介して着脱可能に設けられたソール部とを備え、
上記ミッドソール部は、当該ミッドソールの外底面を形成する底板部と、底板部の少なくとも上記脚の踵部分に立設された複数のリブとを有する釣用靴。
【請求項２】
上記靴本体の載置部は、当該載置部の外底面を形成する発泡成形部材を備えている請求項１記載の釣用靴。
【請求項３】
上記発泡成形部材は、ゴムシートと共に積層された積層体として形成されている請求項２記載の釣用靴。
【発明の詳細な説明】
【０００１】
【発明の属する技術の分野】
この発明は、釣りの際に使用される靴の構造に関するものである。
【０００２】
【従来の技術及び発明が解決しようとする課題】
例えば、磯釣り、川釣り等においては、釣人が釣り場を安全に移動するために専用設計された靴が使用される。この靴には、シューズタイプ、ブーツタイプ等、さまざまな種類がある。
このような釣用靴は、ソール部分が高い滑止効果を奏することが重要であり、そのために、そのためにソール部分にフェルトが使用されたたり、ソール部分がスパイク構造とされる（例えば、非特許文献１参照）。
一方、特に、ソール部分にスパイク構造が採用された場合は、歩行の際に釣人の脚に衝撃が加わりやすい。そのために、釣用靴の内底部にクッション部材が配設され、釣人の脚への負担が軽減されている。
このように、釣用靴には、ソール部分の高い滑止効果の実現と、釣人の脚への負担軽減という要請がある。
【０００３】
【非特許文献１】
株式会社シマノ  ２００２  Ｆｉｓｈｉｎｇ  Ｔａｃｋｌｅ  Ｃａｔａｌｏｇｕｅ（第１６９頁）
【０００４】
そこで、本発明の目的は、釣人の脚への衝撃をさらに緩和し、長時間の歩行によっても脚が疲れない釣用靴を提供することである。
【０００５】
【課題を解決するための手段】
（１）  上記目的を達成するため、本願に係る釣用靴は、釣人の脚が挿入され、脚の裏部分が載置される載置部を有する靴本体と、載置部の外底面に設けられたミッドソール部と、ミッドソール部の外底面に面ファスナーを介して着脱可能に設けられたソール部とを備え、上記ミッドソール部は、当該ミッドソールの外底面を形成する底板部と、底板部の少なくとも上記脚の踵部分に立設された複数のリブとを有することを特徴とするものである。
【０００６】
この構成によれば、ソール部が着脱自在に設けられているから、釣用靴が使用されるときに、異なる種類のソール部が交換可能である。したがって、例えば、藻等が生えた釣り場では、フェルト材からなるソール部が採用されるのが好ましく、岩場等では、スパイク構造のソールが採用されるのが好ましい。
ミッドソール部の底板部のうち、少なくとも踵部分にリブが設けられているから、ミッドソール部が靴本体に取り付けられた状態でミッドソール部と靴本体との間に空間が形成される。この空間が形成されることにより、例えば、ソール部に衝撃が加わった場合であっても、当該衝撃の靴本体側への伝達が抑制される。
【０００７】
（２）  上記靴本体の載置部は、当該載置部の外底面を形成する発泡成形部材を備えているのが好ましい。この構成では、発泡成形部材により、釣人の脚へ伝わる衝撃は、一層効果的に抑制される。
また、上記発泡成形部材は、ゴムシートと共に積層された積層体として形成されているのが好ましい。
この構成では、釣人の脚へ伝わる衝撃が、なお一層効果的に抑制される。より具体的には、上記発泡成形部材が緩衝部材として機能するには、構造部材として柔らかいものであることが重要である。しかし、例えばソール部がスパイク構造を備えている場合は、スパイクが発泡成形部材と接触することによって両者間の面圧が大きくなり、そのために発泡成形部材が局部的に変形し、十分な緩衝効果が得られないおそれがある。しかし、発泡成形部材がゴムシートを備えることにより、当該ゴムシートによって発泡成形部材に生じる面圧が低減され、発泡成形部材は十分な緩衝効果を発揮する。
【０００８】
【発明の実施の形態】
以下、適宜図面が参照されつつ、好ましい実施形態に基づいて本発明が詳細に説明される。
【０００９】
図１は、本発明の一実施形態に係る釣用靴１０の斜視図であり、図２は、釣用靴１０の要部拡大断面図である。
この釣用靴１０は、例えば磯釣り等において釣人が釣り場を安全に歩行等するために着用するものであって、釣り場における滑止効果のきわめて高い靴である。
本実施形態に係る釣用靴１０の特徴とすることころは、釣用靴１０のソール部分の構造にあり、釣用靴１０が後述の構造を備えることによって、歩行の際の釣人の脚への負担が軽減されている。なお、釣人は、左右対称に形成された一対の釣用靴１０を着用するが、釣用靴１０の構造の説明を簡略化するために、以下では、右脚用の釣用靴１０について説明される。
【００１０】
釣用靴１０は、靴本体１１と、靴本体１１の底部に設けられたミッドソール部１２と、ミッドソール部１２に設けられたソール部１３とを備えている。
【００１１】
靴本体１１は、内布１４と、本体ゴム１５と、補強ゴム１６〜２０と、中敷２１とを有する。
内布１４は、例えばナイロン、ポリエステル等からなり、靴本体１１の内壁面を構成している。内布１４がナイロンやポリエステルにより構成されることによって、釣人が釣用靴１０を履いたときに履き心地が良い。
中敷２１は、内布１４の内底部に配置されている。内布１４の内底部は、釣人が釣用靴１０を履いたときに脚の裏部分が載置される載置部２３を構成している。中敷２１は、例えば、発泡エチレン酢酸ビニル共重合体（発泡ＥＶＡ）、発泡ポリウレタン（発泡ＰＵ）、発泡ポリエチレン（発泡ＰＥ）、スポンジ等により構成されており、釣人が釣用靴１０を履いたときに、当該釣用靴１０がぴったりと脚にフィットし、履き心地の良いものとなる。ただし、中敷２１は、無くてもよい。
【００１２】
本体ゴム１５は、内布１４の底部を除く外周面を囲繞するように配置されており、靴本体１１の骨格を形成している。本体ゴム１５としては、例えば、天然ゴム、ポリ塩化ビニル（ＰＶＣ）、合成ゴム等が採用される。
補強ゴム１６は、靴本体１１の先端部（爪先側）を被うように配置されており、当該部分を補強している。補強ゴム１６としては、例えば、天然ゴム、ポリ塩化ビニル（ＰＶＣ）、合成ゴム等が採用される。
補強ゴム１７は、靴本体１１の後端部（踵側）を被うように配置されており、当該部分を補強している。特に、釣人が釣用靴１０を履いたときに釣人の踵後方に該当する部分には肉厚部２１が形成されており、釣人の踵部分の安全が確保されている。補強ゴム１７としては、例えば、天然ゴム、ポリ塩化ビニル（ＰＶＣ）、合成ゴム等が採用される。
【００１３】
また、補強ゴム１８は、靴本体１１の底部近傍を靴本体１１の周方向に沿って配置されている。つまり、上記補強ゴム１８は、靴本体１１の下縁部を囲繞するように配置されており、靴本体１１の先端部及び後端部をさらに補強している。この補強ゴム１８としては、例えば、天然ゴム、ポリ塩化ビニル（ＰＶＣ）、合成ゴム等が採用される。
さらに、補強ゴム１９は、上記補強ゴム１８の外側に配置されており、靴本体１１の底部近傍を靴本体１１の周方向に沿って配置されている。これにより、補強ゴム１９は、靴本体１１の先端部及び下端部をより一層補強しており、釣用靴１０の耐久性及び安全性が向上されている。この補強ゴム１９としては、例えば、天然ゴム、ポリ塩化ビニル（ＰＶＣ）、合成ゴム等が採用される。
また、補強ゴム２０は、靴本体１１の上部開口部３６（釣人の脚が挿入される部分）の周縁部に配置されており、当該周縁部が補強されている。この補強ゴム２０としては、例えば、天然ゴム、ポリ塩化ビニル（ＰＶＣ）、合成ゴム等が採用される。
【００１４】
ミッドソール部１２は、上記載置部２３の外底面２４に配置されている。ただし、上記靴本体１１の底面周縁部には補強シート２５が配設されており、ミッドソール部１２は、この補強シート２５を挟んで上記外底面２４に固着されている。
ミッドソール部１２は、基部２６と、シート部材２７（ゴムシート）と、クッション部材２８（発泡成形部材）とを有する。
【００１５】
基部２６は、例えば合成ゴム等により構成されており、その外形形状は、靴本体１１の下面形状に対応している。シート部材２７は、基部２６の上面に配置され、シート部材２７の上面にクッション部材２８が配置されている。言い換えると、基部２６、シート部材２７及びクッション部材２８は、順に積層されており、これらが一体となって靴本体１１側の上記外底面２４に取り付けられている。つまり、シート部材２７と共に積層されたクッション部材２８が、上記載置部２３の外底面２４を構成している。
【００１６】
シート部材２７は、例えば、樹脂が含浸された紙材のほか、ラバー、フェルト、プラスチック、金属等からなる板材により構成されており、クッション部材２８は、発泡エチレン酢酸ビニル共重合体、発泡合成ゴム、発泡ウレタン、フェルト材等の発泡成形部材により構成されている。
なお、本実施形態では、シート部材２７の上面にクッション部材２８が積層されているが、基部２６の上面にクッション部材２８が配置され、その上面にシート部材２７が配置されていてもよい。
【００１７】
基部２６は、平板状に形成された底板部２９と、底板部２９に立設された複数のリブ３０とを有している。底板部２９の下面は、ミッドソール部１２の外底面３１を構成しており、この外底面３１には、ソール部１３が装着されるための凹部３２が設けられている。
上記リブ３０は、底板部２９の後方部分、すなわち、釣人が釣用靴１０を履いたときに、脚の踵部分に対応する部分に立設されている。各リブ３０は、底板部２９と一体的に形成されている。したがって、ミッドソール部１２の後方部分の内部は、いわゆる肉抜構造となっている。この構造は、釣用靴１０の底からの衝撃に対して緩衝効果を奏する。
なお、本実施形態では、上記リブ３０は、上記底板部２９の後方部分のみに設けられているが、少なくとも当該部分にリブ３０が設けられていれば上記緩衝効果が奏されるものであり、上記底板部２９の全体にリブ３０が設けられていてもよいことは勿論である。
【００１８】
ソール部１３は、上記ミッドソール部１２の外底面３１に着脱可能に取り付けられている。ソール部１３は、取付板部３３と、取付板部３３に設けられたフェルト部材３４と、取付板部３３に立設されたスパイクピン３５とを有する。
取付板部３３は、例えば、エチレン酢酸ビニル共重合体等により構成されており、平板状に形成されている。取付板部３３の外形形状は、上記ミッドソール部１２の基部２６に設けられた凹部３２にぴったりと嵌り込むように形成されている。本実施形態では、取付板部３３は、図示されていないが面ファスナーを介してミッドソール部１２に取り付けられているが、取付板部３３とミッドソール部１２との取付構造は、他の既知の構造が採用されてもよい。
なお、スパイクピン３５は、取付板部３３の適切な位置に適宜配設されており、フェルト部材３４に埋め込まれた状態で配置されている。
【００１９】
この釣用靴１０は、概ね次のようにして製造される。
釣用靴１０の製造には、足型が用いられる。まず、この足型に上記内布１４が被せられる。この内布１４を被うように上記本体ゴム１５が被せられる。次に、内布１４の底部にクッション部材２８及びシート部材２７が貼り付けられ、さらに、上記補強シート２５及び各補強ゴム１６〜２０が順に貼り付けられる。そして、靴本体１１の底部を被うようにミッドソール部１２の基部２６が貼り付けられる。
上記本体ゴム１５、各補強ゴム１６等及び基部２６は、既知の接着剤や加硫処理等によって固着される。
中敷２１は、靴本体１１の上部開口部３６から挿入され、靴本体１１の内定部に配置される。また、ソール部１３は、予めユニットとして組み立てられており、ミッドソール部１２の凹部３２に嵌め込まれるだけで、上記面ファスナーにより強固に固定される。
【００２０】
本実施形態に係る釣用靴１０では、ソール部１３が予めユニットとして構成され、これがミッドソール部１２に着脱可能に設けられているから、釣用靴１０が使用されるときに、釣人は、所望の種類のソール部１３を選択して取り付けることができる。例えば、藻等が多く生えている釣り場では、ソール部１３は、フェルト部材から構成されているのが好ましいし、岩がむき出しになっている釣り場では、スパイク構造のものが好ましい。本実施形態では、スパイクピン３６が配置されたフェルト部材３５によりソール部１３が構成されているから、さまざまな環境の釣り場において、著しい滑止効果が発揮される。
【００２１】
ミッドソール部１２は上記リブ３０を備え、内部が中空状に形成されているから、前述のように、ミッドソール部１２は緩衝構造を有する。したがって、例えば、ソール部１３に衝撃が加わった場合であっても、ミッドソール部１２による緩衝効果によって、当該衝撃が靴本体１１側へ伝達されるのが抑制される。
そのため、ソール部１３が仮に金属製スパイクピンのみを有するスパイク構造を備え、釣人が激しく釣り場を移動（歩行）したとしても、歩行の際に釣人の脚に伝わる衝撃が効果的に緩和される。その結果、当該釣用靴１０は、釣人にとって、履きやすく疲れにくいものとなる。
【００２２】
特に、本実施形態では、ミッドソール部１２がクッション部材２８を備え、これが靴本体１１の上記載置部２３に取り付けられている。これにより、釣人の脚へ伝わる衝撃は、一層効果的に抑制され、釣用靴１０は、一層履き心地の良いものとなる。
さらに、本実施形態では、クッション部材２８がシート部材２７と共に積層されており、このシート部材２７は、前述の材料により構成されている。つまり、シート部材２７は、適度に硬く、釣人の脚が載置される載置面２３の剛性を確保する。したがって、釣用靴１０は、釣人が悪路においても安定して歩行することができ、一層疲れにくいものとなる。
【００２３】
しかも、シート部材２７が一定の剛性を備えるから、ソール部１３から局部的な外力が作用した場合に、当該外力をシート部材２７全体に分散させる。したがって、本実施形態のようにソール部１３がスパイクピン３６を備え、各スパイクピン３６から上記載置面２３側へ局部的に外力が作用した場合であっても、スパイクピン３６と載置面２３との間に大きな面圧が発生することはない。これにより、載置面２３が局部的に変形することがなく、その結果、釣用靴１０は、十分な緩衝効果を発揮し、一層安定した歩行を実現する。
【００２４】
【発明の効果】
以上のように本発明によれば、ソール部が交換可能であるから、釣人の所望の種類のソール部が装着され、釣り場の状況（環境）に応じた滑止効果の高い釣用靴が提供される。しかも、ミッドソール部は、緩衝効果の高い構造であるから、例えば、ソール部がスパイク構造を備えていても、歩行の際に釣人の脚に伝わる衝撃が効果的に緩和され、履きやすく疲れにくい釣用靴が提供される。
【図面の簡単な説明】
【図１】図１は、本発明の一実施形態に係る釣用靴の斜視図である。
【図２】図２は、本発明の一実施形態に係る釣用靴の要部拡大断面図である。
【符号の説明】
１０・・・釣用靴
１１・・・靴本体
１２・・・ミッドソール部
１３・・・ソール部
１４・・・内布
１５・・・本体ゴム
１６〜２０・・・補強ゴム
２３・・・載置部
２４・・・外底面
２５・・・補強シート
２６・・・基部
２７・・・シート部材
２８・・・クッション部材
２９・・・底板部
３０・・・リブ
３１・・・外底面
３２・・・凹部
３３・・・取付板部
【図１】
2004160064.tif 000003
【図２】
2004160064.tif 000004